【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
ディッシュアンテナの背面に取り付け可能であって、前記ディッシュアンテナの背面に取り付けられた状態においてポラリティ軸に垂直となる平板を有し、この平板は、前記ポラリティ軸を中心として前記平板上に描いた仮想の円周上に間隔をあけて位置する複数の円弧溝を有しているアンテナ用ブラケットと、
前記平板における前記ディッシュアンテナ側の面に接触しているアダプタ板であって、前記ポラリティ軸を中心として前記アンテナ用ブラケットが前記アダプタ板に対して回転可能に構成され、前記各円弧溝に対応して複数の係合部が形成されている前記アダプタ板と、
前記平板における前記アンテナと反対側の面に配置された仰角用ブラケットであって、
前記平板に対してそれぞれが垂直であって、かつ互いに平行に位置する１対のウイングと、
これら１対のウイングに対して垂直にかつ一体に形成された連結部とを、
有し、前記１対のウイング間をこれらに垂直に通る仰角調整軸の回りに回転自在に形成され、
前記平板に接触する前記円弧溝と同数のタブを有し、前記各タブには、前記円弧溝に対応させて孔が形成されている仰角用ブラケットと、
前記各孔及びこれらに対応する前記各円弧溝を通って、前記アダプタ板の前記係合部に係合して、前記仰角用ブラケット及び前記アンテナ用ブラケットを、前記アダプタ板に固定する複数の固定具とを、
具備するディッシュアンテナ回転装置。
【請求項２】
請求項１記載のディッシュアンテナ回転装置において、前記固定具は、前記仰角用ブラケット側から挿通されたボルトであって、前記係合部は、前記アダプタ板に形成されたネジ孔であるディッシュアンテナ回転装置。
【請求項３】
請求項１記載のディッシュアンテナ回転装置において、前記ポラリティ軸を中心として前記アンテナ用ブラケットが前記アダプタ板に対して回転可能である構成は、前記平板における前記アンテナ側の面から前記ポラリティ軸上で前記アンテナ側に突出した突起と、前記アダプタ板に形成された、前記突起が挿通される開口とからなるディッシュアンテナ回転装置。
【請求項４】
請求項１記載のディッシュアンテナ回転装置において、前記連結部は、前記平板に対しても垂直に形成され、前記各タブは、前記各ウイング及び前記連結部の端部に形成され、それぞれ前記仰角用ブラケットの外方に向かって突出しているディッシュアンテナ回転装置。
【手続補正２】
【補正対象書類名】明細書
【補正対象項目名】０００６
【補正方法】変更
【補正の内容】
【０００６】
本発明による回転装置は、アンテナ用ブラケットを有している。このアンテナ用ブラケットは、ディッシュアンテナ、例えばオフセットパラボラアンテナの反射鏡の背面に取り付け可能に構成されている。このアンテナ用ブラケットが前記ディッシュアンテナの反射鏡背面に取り付けられた状態においてポラリティ軸に垂直となる平板を、このアンテナ用ブラケットが有している。ポラリティ軸は、例えば、オフセットパラボラアンテナを通る放物線の頂点と、このオフセットパラボラアンテナの焦点位置とを結ぶボアサイト軸に平行で、オフセットパラボラアンテナをその正平面方向に通る軸である。前記平板には、前記ポラリティ軸を中心として前記平板上に描いた仮想円上に間隔をあけて位置する複数の円弧溝が形成されている。これら円弧溝は、等角度に形成することが望ましい。前記平板における前記ディッシュアンテナ側の面にアダプタ板が接触している。このアダプタ板は、前記ポラリティ軸を中心として前記アンテナ用ブラケットが前記アダプタ板に対して回転可能に構成されている。例えば、アンテナ用ブラケットの平板の反射鏡側の面に、反射鏡側に向いて突起を突出させ、この突起を、アダプタ板に形成した孔に挿通する。逆に、アンテナ用ブラケットの平板の反射鏡側の面に孔を形成し、前記平板側を向いて突出する突起をアダプタ板に形成し、この突起を反射鏡側の孔に挿通する。このアダプタ板には、前記円弧溝に対応して係合部が形成されている。前記平板における前記アンテナと反対側の面に仰角用ブラケットが配置されている。この仰角用ブラケットは、１対のウイングを有し、これらウイングは、前記平板に対してそれぞれが垂直であって、かつ互いに平行に位置している。これら１対のウイングに対して垂直にかつ一体に、連結部が形成されている。仰角用ブラケットは、前記１対のウイング間をこれらに垂直に通る仰角調整軸の回りに回転自在に形成されている。更に、仰角用ブラケットは、前記平板に接触するタブを有している。これらタブは、前記円弧溝と同数である。前記各タブには、前記円弧溝に対応させて孔が形成されている。前記連結部は、前記平板に対しても垂直に形成することができる。この場合、前記各タブは、前記各ウイング及び前記連結部の端部に形成され、それぞれ前記仰角用ブラケットの外方に向かって突出している。前記各孔及びこれらに対応する前記各円弧溝を通る固定具が、アダプタ板の各係合部に係合して、仰角用ブラケット及び前記アンテナ用ブラケットを、前記アダプタ板に固定する。固定具は、前記仰角用ブラケット側から挿通されたボルトとすることができる。この場合、前記係合部は、前記アダプタ板に形成されたネジ孔に形成する。
【手続補正３】
【補正対象書類名】明細書
【補正対象項目名】００１２
【補正方法】変更
【補正の内容】
【００１２】
図３に示すように、このオフセットパラボラ反射鏡２の背面に、回転角、仰角及び方位角調整装置８のディッシュ用ブラケット１２が着脱自在に取り付けられている。このディッシュ用ブラケット１２は、平板部１４を有している。平板部１４は、図５に示すように、反射鏡２の背面から間隔を隔てて位置している。この平板部１４は、反射鏡２の頂点（図２における原点）から、この反射鏡２の焦点に伸びた直線に平行で、ポラリティ軸１６（図５参照）に垂直に位置している。この平板部１４の下端が反射鏡２の下方にまで伸び、その下端にアーム１０が取り付けられている。このブラケット１２は、ボルト１８によって反射鏡２に着脱自在に取り付けられている。
【手続補正４】
【補正対象書類名】明細書
【補正対象項目名】００１９
【補正方法】変更
【補正の内容】
【００１９】
回転角、仰角及び方位角調整装置８は、更に方位角用クランプ５８も有している。この方位角用クランプ５８は、ウイング３０、３２の間に配置されている。方位角用クランプ５８は、図４に示すように、円筒状部６０を有している。この円筒状部６０にマスト９が挿通される。この円筒状部６０の反射鏡２側の上部には、反射鏡２側に突出するようにタブ６２、６４が形成されている。これらタブ６２、６４には、ネジ孔６６、６８が形成され、これらネジ孔６６、６８には、ウイング３０、３２の要のボルト挿通孔５０、５２に挿通されたボルト７０、７２が挿通されている。仰角用ブラケット２８は、これらボルト７０、７２の回りに回転自在である。従って、反射鏡２の仰角を調整可能である。円筒状部６０の下端部の反射鏡２側にも、タブ７４、７６が形成されている。これらタブ７４、７６にもネジ孔７８、８０が形成されている。円弧溝５４、５６に挿通されたボルト８２、８４が、これらネジ孔７８、８０に螺合している。図示していないが、円弧溝５４、５６には、それにそって仰角調整用の目盛が形成されている。所定の仰角に対応する目盛の位置にボルト８２、８４が位置するように、ボルト７０，７２の回りに仰角用ブラケット２８を回転させることによって、所定の仰角に反射鏡２を設定することができる。この設定後に、ボルト７０、７２、８２、８４が強固に締結される。
【手続補正５】
【補正対象書類名】明細書
【補正対象項目名】００２０
【補正方法】変更
【補正の内容】
【００２０】
円筒状部６０の反射鏡２から最も離れた部分は、円筒状部６０の長さ方向に沿って切断されている。これら切断縁からさらに反射鏡２と反対側にタブ８６、８８が形成されている。これらタブ８６には、その長さ方向に間隔をあけてネジ孔９０、９２が形成され、タブ８８におけるネジ孔９０、９２に対応する位置に挿通孔９４、９６が形成されている。これら挿通孔９４、９６に挿通されたボルト９８、１００がネジ孔９０、９２に螺合して、マストに方位角用クランプ５８を強固に固定する。従って、ボルト９８、１００を緩めた状態で、マストの回りに方位角用クランプ５８を回転させて、反射鏡２に所定の方位角を向かせてから、ボルト９８、１００を強固に固定することによって、所定の方位角を向いた状態を維持することができる。
【手続補正６】
【補正対象書類名】明細書
【補正対象項目名】００２１
【補正方法】変更
【補正の内容】
【００２１】
この回転角、仰角及び方位角調整装置８では、ディッシュ用ブラケット１２の突起２２にアダプタ２４の貫通孔２５を挿通し、各ネジ孔２６が各円弧溝２０上に位置するように、アダプタ２４を回転させる。次に、仰角用ブラケット２８のタブ３６、３８、４０を、ディッシュ用ブラケット１２の平板部１４におけるアダプタ２４とは反対側の面に配置し、各挿通孔４２、４４、４６を各円弧溝２０上に一致させる。各ボルト４８を挿通孔４２、４４、４６、円弧溝２０、２０、２０を介してネジ孔２６、２６、２６に緩く螺合させ、アダプタ２４、ディッシュ用ブラケット１２及び仰角用ブラケット２８を結合させる。
【手続補正７】
【補正対象書類名】明細書
【補正対象項目名】００２９
【補正方法】変更
【補正の内容】
【００２９】
２  オフセットパラボラ反射鏡
８  回転角、仰角及び方位角調整装置
１２  ディッシュ用ブラケット
１４  平板部
１６  ポラリティ軸
２０  円弧溝
２２  突起
２２  貫通孔
２４  アダプタ
２５  ネジ孔（係合部）
２８  仰角用ブラケット
３０  ３２  ウイング
３４  連結部
４２  ４４  ４６  挿通孔
４８  ボルト（固定具）